(57)【要約】【課題】  未入庫状況の把握や明細の抽出・リスト発行を行い未入庫品の工程進行を推進することを可能とする未判定未入庫品管理装置を提供する。【解決手段】  入力部と、内質判定部と、立会待ち判定部と、経過日数判定部と、倉入票Ｎｏ．判定部と、梱包待ち判定部と、グロス入力待ち判定部と、防錆待ち判定部と、事後処置判定部と、未判定未入庫品記憶部と、グラフ生成部と、送受信部とを備える未判定未入庫品管理装置。【選択図】  図２
2008287482.tif 000002
【特許請求の範囲】
【請求項１】
外部のホストに接続し、前記外部のホストから検査工程が完了し入庫していない仕掛品に関するデータを取り込む入力部と、
前記入力部から入力された仕掛品に関するデータに基づいて内質判定が合格しているか否かを判定する内質判定部と、
前記内質判定部から入力された仕掛品に関するデータに基づいて立会いの有無について判定をする立会待ち判定部と、
前記内質判定部と前記立会待ち判定部とから入力された仕掛品に関するデータに基づいて経過日数を判定する経過日数判定部と、
前記倉内質判定部から入力された仕掛品に関するデータに基づいて倉入票の番号の有無を判定する入票Ｎｏ．判定部と
前記倉入票Ｎｏ．判定部から入力された仕掛品に関するデータに基づいて梱包待ちの有無を判定する梱包待ち判定部と、
前記梱包待ち判定部から入力された仕掛品に関するデータに基づいてグロス入力待ちの有無を判定するグロス入力待ち判定部と、
前記グロス入力待ち判定部から入力された仕掛品に関するデータに基づいて防錆待ちの有無を判定する防錆待ち判定部と、
前記防錆待ち判定部から入力された仕掛品に関するデータに基づいて事後処置の有無を判定する事後処置判定部と、
前記経過日数判定部と、前記倉入票Ｎｏ．判定部と、前記梱包待ち判定部と、前記グロス入力待ち判定部と、前記防錆待ち判定部と、前記事後処置判定部とから入力された仕掛品に関するデータに基づいて、データベースを構築し格納する未判定未入庫品記憶部と、
前記未判定未入庫品記憶部に格納されたデータに基づいて、各種グラフ、表を生成するグラフ生成部と、
前記グラフ生成部にて生成されたグラフを、外部の端末に出力する送受信部と、
を備えることを特徴とする未判定未入庫品管理装置。
【発明の詳細な説明】
【技術分野】
【０００１】
本発明は、鋼材・鋼管の検査工程から入庫完了までの生産管理に用いられる未判定未入庫品管理装置に関するものである。
【背景技術】
【０００２】
検査実績入力後の仕掛品は、内質判定が合格で無いと入庫することができない。あるいは、梱包・防錆処置が必要なものは、それが完了しないと入庫することができない。このため、検査後も入庫していない仕掛品が多く存在することとなる。従来はこれらを管理する手段が無く、入庫促進ができず、このことが納期遅れ及び工期ばらつきの要因の一つとなっている。
【０００３】
図１に示すように、検査工場にて検査した仕掛品が入庫する為には、内質判定が合格（立会いも含む）し、梱包や防錆処置が必要なものはその作業が完了している必要がある。これらが完了した後、検査工場から製品倉庫へ運搬を行い、倉庫で倉入れ検収を行うことで仕掛品は入庫される。これら一連の条件及び作業が完了していない場合には、仕掛品は、未入庫品として滞留することになる。
【発明の開示】
【発明が解決しようとする課題】
【０００４】
しかしながら、従来のこのような検査工程が完了した未入庫品の管理は、検査実績量と入庫実績量の重量差や検査工場内の置場状況、あるいは未判定品の管理だった為、未入庫状態の仕掛品をより詳しく管理するツールが無かった。
【０００５】
本発明は、このような従来の問題を解決するためになされたもので、検査工程が完了し入庫していない仕掛品について、未入庫状態を判別させてサーバー情報として保持し、端末よりサーバーにアクセスすることで、未入庫状況の把握や明細の抽出・リスト発行を行い未入庫品の工程進行を推進することを可能とする未判定未入庫品管理装置を提供することである。
【課題を解決するための手段】
【０００６】
本発明の未判定未入庫品管理装置は、外部のホストに接続し、外部のホストから検査工程が完了し入庫していない仕掛品に関するデータを取り込む入力部と、入力部から入力された仕掛品に関するデータに基づいて内質判定が合格しているか否かを判定する内質判定部と、内質判定部から入力された仕掛品に関するデータに基づいて立会いの有無について判定をする立会待ち判定部と、内質判定部と立会待ち判定部とから入力された仕掛品に関するデータに基づいて経過日数を判定する経過日数判定部と、倉内質判定部から入力された仕掛品に関するデータに基づいて倉入票の番号の有無を判定する入票Ｎｏ．判定部と、倉入票Ｎｏ．判定部から入力された仕掛品に関するデータに基づいて梱包待ちの有無を判定する梱包待ち判定部と、梱包待ち判定部から入力された仕掛品に関するデータに基づいてグロス入力待ちの有無を判定するグロス入力待ち判定部と、グロス入力待ち判定部から入力された仕掛品に関するデータに基づいて防錆待ちの有無を判定する防錆待ち判定部と、防錆待ち判定部から入力された仕掛品に関するデータに基づいて事後処置の有無を判定する事後処置判定部と、経過日数判定部と、倉入票Ｎｏ．判定部と、梱包待ち判定部と、グロス入力待ち判定部と、防錆待ち判定部と、事後処置判定部とから入力された仕掛品に関するデータに基づいて、データベースを構築し格納する未判定未入庫品記憶部と、未判定未入庫品記憶部に格納されたデータに基づいて、各種グラフ、表を生成するグラフ生成部と、グラフ生成部にて生成されたグラフを、外部の端末に出力する送受信部とを備えることを特徴とする。
【発明の効果】
【０００７】
本発明の未判定未入庫品管理装置によれば、この管理装置を活用することにより、未入庫品の仕掛推移を把握することができるようになる。また、長期滞留している原因やその対象明細を容易に抽出することができるためにそれらの工程進捗を図ることが出来る。その結果、長期に滞留することが減少する為に工期のばらつきが小さくなり、さらに入庫待ちの期間が短くなるので工期が短縮され、顧客の納期を満足することが出来るようになる。
【発明を実施するための最良の形態】
【０００８】
以下、本発明の実施形態である未判定未入庫品管理装置について、図を参照して詳細に説明をする。
【０００９】
本実施形態の未判定未入庫品管理装置１００は、検査工程が完了し入庫していない仕掛品に関するデータをホストからダウンロードし、その際、各明細について未入庫状態を判別させてサーバー情報として保持するものである。未入庫状態は表１のように分類する。
【００１０】
【表１】
2008287482.tif 000003
【００１１】
本実施形態では、検査工程終了後から入庫完了するまでの仕掛品を管理する為に定義した未入庫状態を、「第１分類」と「第２分類」として層別に管理を行う。
【００１２】
第１分類の「判定待ち」とは、内質判定が合格になるまでの状態のことをいう。第１分類の「立会い待ち」とは、立会いが行われるまでの状態のことをいう。第１分類の「入庫待ち」とは、内質判定が合格した後で、製品倉庫で倉入れ検収が行われる前までの状態のことをいう。
【００１３】
第２分類の「経過日数」は、検査工程終了日を基準に現在日までの経過している日数のことをいう。第２分類の「梱包、グロス待ち」とは、仕掛品に梱包作業がされていない状態のことをいう。また梱包後の仕掛品の重量入力待ち状態のことをいう。第２分類の「防錆待ち」とは、顧客仕様で防錆が必要な場合には仕掛品に防錆処置が施されるが、その作業がされていない状態のことをいう。第２分類の「事後処置有り」とは、検査工程は完了させたが、現場が何らかの理由（或いは問題）で入庫するのを止めたいときに「事後処置有り」の入力をするものである。この事後処置を解除しない限り仕掛品が入庫することは出来ない。問題が解決した場合は事後処置の解除が行われる。
【００１４】
第２分類の「倉入検収未」とは、倉入れ検収待ちの状態のことをいう。つまり製品倉庫に運ばれていない或いは運搬されているが倉入れ検収が行われていない状態のことをいう。第２分類の「要確認（その他）」とは、ここまでの条件判定で第一分類・第二分類の何れの状態にも当てはまらないときに、「要確認（その他）」と判定するものである。これが出た場合は関係部署に連絡しその原因を調査するように指示を行う。
【００１５】
本実施形態の未判定未入庫品管理装置１００は、サーバーが備える不図示のＣＰＵと不図示のメモリ装置（ＲＡＭやＲＯＭ等）において、このメモリ装置に格納されたプログラムを実行し、図３のフローチャートに記載した動作を実行することにより、図２のブロック図に示す機能ブロックを備えた未判定未入庫品管理装置として機能するものである。
【００１６】
図２は、本実施形態の未判定未入庫品管理装置のハードウェア構成を示すブロック図である。本実施形態の未判定未入庫品管理装置１００は、入力部１０１と、内質判定部１０２と、立会待ち判定部１０３と、経過日数判定部１０４と、倉入票Ｎｏ．判定部１０５と、梱包待ち判定部１０６と、グロス入力待ち判定部１０７と、防錆待ち判定部１０８と、事後処置判定部１０９と、未判定未入庫品記憶部１１０と、グラフ生成部１１１と、送受信部１１２とを備える。
【００１７】
入力部１０１は、不図示のホストに接続し、不図示のホストから検査工程が完了し入庫していない仕掛品に関するデータを未判定未入庫品管理装置１００内に取り込む。
【００１８】
内質判定部１０２は、入力部１０１に接続し、入力部１０１から入力された仕掛品に関するデータに基づいて内質判定が合格しているか否かを判定する。なお、内質判定とは、顧客との取り交わした機械試験値やミクロ組織といった内質仕様に対しての合否判定のことをいう。
【００１９】
立会待ち判定部１０３は、内質判定部１０２に接続し、内質判定部１０２から入力された仕掛品に関するデータに基づいて立会いの有無について判定をする。なお、立会いとは、技術管理部の担当者或いは外部の検査機関の有資格者が実際に検査及び内質判定の場に立会って合否判定を行うことを言い、その立会いが行われるまでの状態を立会い待ちという。
【００２０】
経過日数判定部１０４は、内質判定部１０２と立会待ち判定部１０３とに接続し、内質判定部１０２と立会待ち判定部１０３とから入力された仕掛品に関するデータに基づいて経過日数を判定する。なお、経過日数とは、検査工程終了日を基準に現在日までの経過している日数のことをいう。
【００２１】
倉入票Ｎｏ．判定部１０５は、内質判定部１０２に接続し、内質判定部１０２から入力された仕掛品に関するデータに基づいて倉入票の番号の有無を判定する。なお、倉入票Ｎｏ．とは、製品倉庫に倉入れ可能な状態になった仕掛品に付加される管理番号のことをいう。この番号が付加された仕掛品が倉入れ検収の対象となる。
【００２２】
梱包待ち判定部１０６は、倉入票Ｎｏ．判定部１０５に接続し、倉入票Ｎｏ．判定部１０５から入力された仕掛品に関するデータに基づいて梱包待ちの有無を判定する。
【００２３】
グロス入力待ち判定部１０７は、梱包待ち判定部１０６に接続し、梱包待ち判定部１０６から入力された仕掛品に関するデータに基づいてグロス入力待ちの有無を判定する。なお、グロス入力とは、仕掛品が梱包されると現物の重量が増えるため、梱包後の重量報告が必要な場合にはその重量を入力することをいう。
【００２４】
防錆待ち判定部１０８は、グロス入力待ち判定部１０７に接続し、グロス入力待ち判定部１０７から入力された仕掛品に関するデータに基づいて防錆待ちの有無を判定する。
【００２５】
事後処置判定部１０９は、防錆待ち判定部１０８に接続し、防錆待ち判定部１０８から入力された仕掛品に関するデータに基づいて事後処置の有無を判定する。
【００２６】
未判定未入庫品記憶部１１０は、経過日数判定部１０４と、倉入票Ｎｏ．判定部１０５と梱包待ち判定部１０６と、グロス入力待ち判定部１０７と、防錆待ち判定部１０８と、事後処置判定部１０９とに接続し、経過日数判定部１０４と、倉入票Ｎｏ．判定部１０５と、梱包待ち判定部１０６と、グロス入力待ち判定部１０７と、防錆待ち判定部１０８と、事後処置判定部１０９から入力された仕掛品に関するデータに基づいて、データベースを構成し格納する。
【００２７】
グラフ生成部１１１は、未判定未入庫品記憶部１１０に接続し、未判定未入庫品記憶部１１０に格納されたデータに基づいて、各種グラフ、表を生成する。
【００２８】
送受信部１１２は、グラフ生成部１１１に接続し、グラフ生成部１１１にて生成されたグラフを、未判定未入庫品管理装置１００に接続した端末２０１、２０２、２０３に出力する。
【００２９】
また、送受信部１１２は、端末２０１、２０２、２０３から、明細の抽出やリスト発行の命令が入力され、グラフ生成部１１１は、端末２０１、２０２、２０３からの命令に基づいて、各種ファイルを生成し、送受信部１１２を介して端末２０１、２０２、２０３へ出力する。
【００３０】
次に、本実施形態の未判定未入庫品管理装置１００の実際の動作について説明をする。
【００３１】
図３は、本実施形態の未判定未入庫品管理装置１００の動作を示すフローチャートである。
【００３２】
ステップ（図中ではステップをＳと略す）１０１では、入力部１０１は、不図示のホストから検査工程が完了し入庫していない仕掛品に関するデータを未判定未入庫品管理装置１００内に取り込み、ステップ１０２へ進む。
【００３３】
ステップ１０２では、内質判定部１０２は、仕掛品が内質判定が合格しているか否かを判定する。合格している場合には、ステップ１１０へ進み、合格していない場合にはステップ１０２へ進む。
【００３４】
ステップ１０２では、立会い待ち判定部１０３は、仕掛品が立会い待ちであるか否かを判定する、立会い待ちである場合には、ステップ１０３へ進み、立会い待ちでない場合にはステップ１０４へ進む。
【００３５】
ステップ１０３では、立会い待ち判定部１０３は、仕掛品に関するデータの第１分類を「立会い待ち」に設定し、ステップ１０５へ進む。
【００３６】
ステップ１０４では、立会い待ち判定部１０３は、仕掛品に関するデータの第１分類を「判定待ち」に設定し、ステップ１０５へ進む。
【００３７】
ステップ１０５では、経過日数判定部１０４は、経過日数が４日以上か否かを判定する。経過日数が４日以上である場合には、ステップ１０６へ進み、経過日数が４日未満である場合にはステップ１０７へ進む。
【００３８】
ステップ１０６では、経過日数判定部１０４は、仕掛品に関するデータの第２分類を「４日以上」に設定し、ステップ１２２へ進む。
【００３９】
ステップ１０７では、経過日数判定部１０４は、経過日数が３日か否かを判定する。経過日数が３日である場合には、ステップ１０８へ進み、経過日数が３日でない場合にはステップ１０９へ進む。
【００４０】
ステップ１０８では、経過日数判定部１０４は、仕掛品に関するデータの第２分類を「３日」に設定し、ステップ１２２へ進む。
【００４１】
ステップ１０９では、経過日数判定部１０４は、仕掛品に関するデータの第２分類を「２日以内」に設定し、ステップ１２２へ進む。
【００４２】
ステップ１１０では、内質判定部１０２は、仕掛品に関するデータの第１分類を「入庫待ち」に設定し、ステップ１１１へ進む。
【００４３】
ステップ１１１では、倉入票Ｎｏ．判定部１０５は、倉入票の番号の有無を判定する。倉入票の番号がある場合には、ステップ１１２へ進み、倉入票の番号がない場合には、ステップ１１３へ進む。
【００４４】
ステップ１１２では、倉入票Ｎｏ．判定部１０５は、仕掛品に関するデータの第２分類を「倉入検収未」に設定し、ステップ１２２へ進む。
【００４５】
ステップ１１３では、梱包待ち判定部１０６は、梱包待ちの有無を判定する。梱包待ちの場合には、ステップ１１４へ進み、梱包待ちでない場合にはステップ１１５へ進む。
【００４６】
ステップ１１４では、梱包待ち判定部１０６は、仕掛品に関するデータの第２分類を「梱包、グロス待ち」に設定し、ステップ１２２へ進む。
【００４７】
ステップ１１５では、グロス入力待ち判定部１０７は、グロス待ちの有無を判定する。グロス待ちの場合には、ステップ１１６へ進み、グロス待ちでない場合には、ステップ１１７へ進む。
【００４８】
ステップ１１６では、グロス入力待ち判定部１０７は、仕掛品に関するデータの第２分類を「梱包、グロス待ち」に設定し、ステップ１２２へ進む。
【００４９】
ステップ１１７では、防錆待ち判定部１０８は、防錆待ちか否かを判定する。防錆待ちである場合には、ステップ１１８へ進み、防錆待ちでない場合にはステップ１１９へ進む。
【００５０】
ステップ１１８では、防錆待ち判定部１０８は、仕掛品に関するデータの第２分類を「防錆待ち」に設定し、ステップ１２２へ進む。
【００５１】
ステップ１１９では、事後処置判定部１０９は、事後処置の有無を判定する。事後処置が有る場合にはステップ１２０へ進み、事後処置がない場合にはステップ１２１へ進む。
【００５２】
ステップ１２０では、事後処置判定部１０９は、仕掛品に関するデータの第２分類を「事後処置有り」に設定し、ステップ１２２へ進む。
【００５３】
ステップ１２１では、事後処置判定部１０９は、仕掛品に関するデータの第２分類を「要確認（その他）」に設定し、ステップ１２２へ進む。
【００５４】
ステップ１２２では、判定を終了し、未判定未入庫品記憶部１１０は、上記判定された仕掛品に関するデータの第１分類及び第２分類をデータベースに格納する。
【００５５】
そして、端末２０１、２０２、２０３より、本実施形態の未判定未入庫品管理装置１００にアクセスすることで、未入庫状況の把握や明細の抽出・リスト発行を行い未入庫品の工程進行を推進することが可能となる。
【００５６】
図４と図５は、本実施形態の未判定未入庫品管理装置１００が生成して出力するグラフの例を示す図である。検査場毎・鋼材鋼管毎・第一分類・第二分類毎に条件を入力し、その条件の仕掛推移をグラフ表示させている。その条件の明細を見たい場合は「対象明細参照」ボタンを押すことで画面展開される。このように、検査場毎・鋼材鋼管毎に未入庫状態の推移をグラフ化することでき、日々の水準管理をすることが出来る。更にはリスト発行やファイル作成をすることで現場への連絡及び作業指示を行うことが出来る。
【００５７】
図６は、本実施形態の未判定未入庫品記憶部１１０に格納された未判定未入庫品のデータを示す図である。図６は、図４の画面で指定した抽出条件に合う対象の明細を表示している状態を示している。このように、第一分類・第二分類を指定することで、その条件での仕掛推移や明細を端末の画面で確認することが出来る。
【００５８】
以上、説明したように本発明の未判定未入庫品管理装置によれば、この管理装置を活用することにより、未入庫品の仕掛推移を把握することができるようになる。また長期滞留している原因やその対象明細を容易に抽出することができるためにそれらの工程進捗を図ることが出来る。その結果、長期に滞留することが減少する為に工期バラツキが小さくなり、さらに入庫待ちの期間が短くなるので工期が短縮され、顧客の納期を満足することが出来るようになる。
【図面の簡単な説明】
【００５９】
【図１】検査工場から製品倉庫への未入庫品の流れを示す図である。
【図２】本実施形態の未判定未入庫品管理装置のハードウェア構成を示すブロック図である。
【図３】本実施形態の未判定未入庫品管理装置１００の動作を示すフローチャートである。
【図４】本実施形態の未判定未入庫品管理装置１００が生成して出力するグラフの例を示す図である。
【図５】本実施形態の未判定未入庫品管理装置１００が生成して出力するグラフの例を示す図である。
【図６】本実施形態の未判定未入庫品記憶部１１０に格納された未判定未入庫品のデータを示す図である。
【符号の説明】
【００６０】
１００：未判定未入庫品管理装置
１０１：入力部
１０２：内質判定部
１０３：立会待ち判定部
１０４：経過日数判定部
１０５：倉入票Ｎｏ．判定部
１０６：梱包待ち判定部
１０７：グロス入力待ち判定部
１０８：防錆待ち判定部
１０９：事後処置判定部
１１０：未判定未入庫品記憶部
１１１：グラフ生成部
１１２：送受信部
【図１】
2008287482.tif 000004
【図２】
2008287482.tif 000005
【図３】
2008287482.tif 000006
【図４】
2008287482.tif 000007
【図５】
2008287482.tif 000008
【図６】
2008287482.tif 000009